(57)【要約】【課題】実効性のあるアンケートを簡易迅速に実施できるようにするほか、スポーツ・文化クラブ１００やＮＰＯ団体１０１などの活動を支援する。【解決手段】サーバ２００が、ソフトウェア２０２ａをインターネット３００上に開放するステップと、青少年育成や生涯学習に関するスポーツ・文化クラブ１００や同じ趣向を持つＮＰＯ団体１０１などがソフトウェア２０２ａを使用する代わりにアンケートセンタ２００によるアンケートに回答することを約することにより前記スポーツ・文化クラブ１００や前記ＮＰＯ団体１０１などがソフトウェア２０２ａを無償で使用することを可能となすステップと、ソフトウェア２０２ａの使用するスポーツ・文化クラブ１００などの構成員それぞれのアンケート回答をインターネット３００を介して受信するステップとを実行する。【選択図】図１
2007172492.tif 000002
【特許請求の範囲】
【請求項１】
青少年育成や生涯学習に関するスポーツ・文化クラブや同じ趣向を持つＮＰＯ団体などの団体や同様な年代で構成される団体などの構成員の持つ端末とアンケートセンタのサーバとをインターネットで接続して実施するアンケート方法であって、前記サーバが、スケジュール管理、連絡板、連絡メールなどの機能を有したソフトウェアをインターネット上に開放するステップと、前記ソフトウェアを使用する代わりに前記アンケートセンタによるアンケートに回答することを約する契約を交わすステップと、前記契約を実施した団体に登録ＩＤを付与すると共にこれら登録ＩＤとこれに対応した前記団体を登録記憶手段に記憶させるステップと、該登録ＩＤを付与された前記団体が前記ソフトウェアを使用することを可能となすステップとを実行し、一方で、アンケートセンタによりアンケート内容を入力されると共に該アンケート内容に対応する抽出条件を入力されることにより該抽出条件に基づいて前記登録記憶手段に記憶された前記団体の中からアンケートに対応した団体を抽出するステップと、該アンケート対象者のそれぞれの前記端末に前記アンケート内容を送信するステップと、前記アンケート内容を送信されたアンケート対象の団体の構成員それぞれからアンケートの回答をインターネットを介して送信されるステップとを実行することを特徴とするインターネットを使用したアンケート方法。
【請求項２】
青少年育成や生涯学習に関するスポーツ・文化クラブや同じ趣向を持つＮＰＯ団体などの団体や同様な年代で構成される団体などの団体の構成員の端末とアンケートセンタのサーバとをインターネットで接続して実施するアンケート方法であって、前記サーバが、前記団体に対してスケジュール管理、連絡板、連絡メールなどの機能を有したソフトウェアをインターネット上に開放するステップと、該ソフトウェアの使用者となる前記団体が該ソフトウェアの使用前に、前記団体の名称や構成員などの個体情報を登録されることによりこの前記団体に登録ＩＤを付与すると共に前記ソフトウェアの使用を可能となすほか該登録ＩＤ及び前記個体情報を対応させて登録記憶手段に記憶させるステップと、前記アンケートセンタが外部の企業などから依頼されたアンケート内容を入力手段を介して前記サーバに入力するステップと、前記登録記憶手段に記憶された前記登録ＩＤ及び前記個体情報に基づいて前記アンケート内容に対応した団体を抽出するステップと、前記アンケート内容を該アンケート対象の団体の構成員の端末に送信するステップと、前記アンケート内容を送信されたアンケート対象者がアンケート回答を送信されるステップとを実行することを特徴とするインターネットを使用したアンケート方法。
【請求項３】
前記登録記憶手段が登録した前記団体及びその登録ＩＤを前記団体の構成員の活動内容、年代、地域などであらかじめグループ分けすることで、登録すると同時に該登録ＩＤがあらかじめ分類されることを特徴とする請求項１又は２記載のインターネットを使用したアンケート方法。
【請求項４】
前記登録記憶手段が登録した前記団体が一定期間で使用を許可又は更新の必要を設けることで前記団体の構成員の年代などが常に真正に保たれることをを特徴とする請求項１又は２又は３記載のインターネットを使用したアンケート方法。
【請求項５】
前記サーバが、前記アンケート対象者の端末に送信したアンケート内容に対するアンケート回答を受信したか否かを確認することにより、前記ソフトウェアの使用団体の各々についてのアンケート回答率を、前記アンケート内容を送信する都度、算出して該算出値を回答率記憶手段に記憶させるステップと、回答率記憶手段に記憶された前記算出値の大きさに基づいて前記ソフトウェアの使用団体のうちの特定の団体を抽出するステップとを実行することを特徴とする請求項１、２、３又は４記載のインターネットを使用したアンケート方法。
【請求項６】
青少年育成や生涯学習に関するスポーツ・文化クラブや同じ趣向を持つＮＰＯ団体などの団体や同様な年代で構成される団体などの構成員の端末と、アンケートセンタのサーバとをインターネットで接続して実施するアンケートシステムであって、前記サーバが、青少年育成や生涯学習に関するスポーツ・文化クラブや同じ趣向を持つＮＰＯ団体などの団体や同様な年代で構成される団体などの構成員に対してはスケジュール管理、連絡板、連絡メールなどの機能を有したソフトウェアをインターネット上に開放するステップと、該ソフトウェアの使用者となる前記団体からソフトウェアの使用前に、前記団体の名称や構成員などの個体情報を登録されることにより、この登録した前記団体に登録ＩＤを付与すると共に前記ソフトウェアの使用を可能となすほか該登録ＩＤ及び前記個体情報を対応させて登録記憶手段に記憶させるステップと、前記アンケートセンタが外部の企業などから依頼されたアンケート内容を入力手段を介して入力されるステップと、前記登録記憶手段に記憶された前記登録ＩＤ及び前記個体情報に基づいて前記アンケート内容に対応したアンケートに対応した団体を抽出するステップと、前記アンケート内容を該アンケート対象団体の構成員の端末それぞれに送信するステップと、前記アンケート内容を送信されたアンケート対象者がアンケート回答を送信されるステップと、前記アンケート対象者の端末に送信したアンケート内容に対するアンケート回答を受信したか否かを確認することにより、前記ソフトウェアの使用団体の各々についてのアンケート回答率を、前記アンケート内容を送信する都度、算出して該算出値を回答率記憶手段に記憶させるステップと、回答率記憶手段に記憶された前記算出値の大きさに基づいて前記ソフトウェアの使用団体のうちの特定の団体を抽出するステップとを実行し、また前記登録記憶手段が前記団体及びその構成員の活動内容、年代、地域などによりグループ分けして記憶するものであることを特徴とするインターネットを使用したアンケートシステム。
【発明の詳細な説明】
【技術分野】
【０００１】
本発明は、端末とサーバをインターネットで接続して実施するアンケート方法と、そのシステムに関する。
【背景技術】
【０００２】
インターネットを使用したアンケートシステムは例えば特許文献１などに開示されている。この種のシステムでは、アンケートに対し回答する者の登録は、その端末からアンケートを主催する者のサーバにアンケートに対する回答と共に個人情報を送信することにより行われる。
【０００３】
上記した従来のアンケートシステムは、アンケートに回答する者はアンケートの内容や、アンケートに付随して提供される懸賞などに惹かれてアンケート主催者のサーバに自分の個人情報を送信するのが通常である。
【０００４】
【特許文献１】特開２００３−６４０８号公報
【発明の開示】
【発明が解決しようとする課題】
【０００５】
上記した従来のアンケートシステムでは、アンケートの内容によっては、インターネットに接する者の興味を惹き付けることができずアンケートに回答する者の数は容易に増大せず、実効性のあるアンケート結果を得難いのである。
一方、青少年育成や生涯学習に関するスポーツ・文化クラブや同じ趣向を持つＮＰＯ団体などの団体や同様な年代で構成される団体などの団体は比較的利害の影響を受け難い状況の下で活動をしており、その構成員に対してアンケートを実施することができれば質のよいアンケート結果を得ることができるのであり、また青少年育成や生涯学習に関するスポーツ・文化クラブや同じ趣向を持つＮＰＯ団体などの団体や同様な年代で構成される団体などは社会上不可欠であり、それらの活動を支援することが望まれる。
【０００６】
本発明は斯かる実情に鑑みて、実効性のあるアンケートを簡易迅速に実施できるようにするほか、青少年育成や生涯学習に関するスポーツ・文化クラブや同じ趣向を持つＮＰＯ団体などの団体や同様な年代で構成される団体などの活動を支援することを目的とする。
【課題を解決するための手段】
【０００７】
上記目的を達成するため、本願の第１の発明に係るアンケート方法は、請求項１に記載したように、青少年育成や生涯学習に関するスポーツ・文化クラブや同じ趣向を持つＮＰＯ団体などの団体や同様な年代で構成される団体などの構成員の端末と、アンケートセンタのサーバとをインターネットで接続して実施するアンケート方法であって、前記サーバが、スケジュール管理、連絡板、連絡メールなどの機能を有したソルトウェアをインターネット上に開放するステップと、前記団体が前記ソフトウェアを使用する代わりに前記アンケートセンタによるアンケートに回答することを約する内容の情報をインターネットを介して入力、もしくは郵便など何らかの手段を用いてアンケートセンタに通知されるステップと、前記内容の情報を入力した前記団体に登録ＩＤを付与すると共にこれら登録ＩＤとこれに対応した前記団体とを登録記憶手段に記憶させるステップと、該登録ＩＤを付与された前記団体が前記ソフトウェアを使用することを可能となすステップとを実行し、一方で、アンケートセンタによりアンケート内容を入力されると共に該アンケート内容に対応する抽出条件を入力されることにより、前記登録記憶手段に記憶された前記団体の中から該抽出条件を加えて条件に基づくアンケート対象者を抽出するステップと、該アンケート対象者のそれぞれの前記端末に前記アンケート内容を送信するステップと、前記アンケート内容を送信されたアンケート対象者のアンケート回答をインターネットを介して受信されるステップとを実行することを特徴とするものである。
このとき、青少年育成や生涯学習に関するスポーツ・文化クラブや同じ趣向を持つＮＰＯ団体などの団体や同様な年代で構成される団体などに対しては無償で使用許可を与えることを前提とするが、利益を得ている団体については運用費用を徴収することもありうる。
【０００８】
第２の発明に係るアンケート方法は、請求項２に記載したように青少年育成や生涯学習に関するスポーツ・文化クラブや同じ趣向を持つＮＰＯ団体などの団体や同様な年代で構成される団体などを基礎とした団体の構成員の端末と、アンケートセンタのサーバとをインターネットで接続して実施するアンケート方法であって、前記サーバが、前記団体に対してスケジュール管理、連絡板、連絡メールなどの機能を有したソフトウェアをインターネット上に開放するステップと、該ソフトウェアの使用者となる前記団体からソフトウェアの使用前に、前記団体の名称や構成員などの個体情報を登録されることによりこの送信した前記団体に登録ＩＤを付与すると共に前記ソフトウェアの使用を可能となすほか該登録ＩＤ及び前記個体情報を対応させて登録記憶手段に記憶させるステップと、前記アンケートセンタが外部の企業などから依頼されたアンケート内容を入力手段を介して入力されるステップと、前記登録記憶手段に記憶された前記登録ＩＤ及び前記個体情報に基づいて前記アンケート内容に対応したアンケート対象者を抽出するステップと、前記アンケート内容を該アンケート対象者の対応する前記端末に送信するステップと、前記アンケート内容を送信されたアンケート対象者のアンケート回答を受信されるステップとを実行することを特徴とするものである。
【０００９】
上記各発明は次のように具体化するのがよいのであって、即ち、請求項３に記載したように、前記登録記憶手段が前記団体及びその登録ＩＤを前記団体の構成員の活動内容、年代、地域などによりグループ分けして記憶するように実施する。
【００１０】
また請求項４に記載したように、前記登録記憶手段が登録した前記団体が一定期間で使用を許可又は更新の必要を設けることで前記団体の構成員の年代などが常に真正に保たれるように実行するものとする。
【００１１】
また請求項５に記載したように、前記サーバが、前記アンケート対象者の端末に送信したアンケート内容に対するアンケート回答を受信したか否かを確認することにより、前記ソフトウェアの使用団体の各々についてのアンケート回答率を、前記アンケート内容を送信する都度、算出して該算出価を回答率記憶手段に記憶させるステップと、回答率記憶手段に記憶された前記算出値の大きさに基づいて前記ソフトウェアの使用団体のうちの特定の団体を抽出するステップとを実行するものとする。
【００１２】
第３の発明に係るアンケートシステムは、請求項６に記載したように、青少年育成や生涯学習に関するスポーツ・文化クラブや同じ趣向を持つＮＰＯ団体などの団体や同様な年代で構成される団体などを基礎とした団体の構成員の端末と、アンケートセンタのサーバとをインターネットで接続して実施するアンケートシステムであって、前記サーバが、前記団体に対してスケジュール管理、連絡板、連絡メールなどの機能を有したソフトウェアをインターネット上に開放するステップと、該ソフトウェアの使用者となる前記団体からソフトウェアの使用前に、前記団体の名称や構成員などの個人情報を登録されることによりこの前記団体に登録ＩＤを付与すると共に前記ソフトウェアの使用を可能となすほか該登録ＩＤ及び前記個人情報を対応させて登録記憶手段に記憶させるステップと、前記アンケートセンタが外部の企業などから依頼されたアンケート内容を入力手段を介して入力されるステップと、前記登録記憶手段に記憶された前記登録ＩＤ及び前記個人情報に基づいて前記アンケート内容に対応したアンケート対象者を抽出するステップと、前記アンケート内容を該アンケート対象者の対応する前記端末に送信するステップと、前記アンケート内容を送信されたアンケート対象者のアンケート回答を送信されるステップと、前記アンケート対象者の端末に送信したアンケート内容に対するアンケート回答を受信したか否かを確認することにより、前記ソフトウェアの使用団体の各々についてのアンケート回答率を、前記アンケート内容を送信する都度、算出して該算出値を回答率記憶手段に記憶させるステップと、回答率記憶手段に記憶された前記算出値の大きさに基づいて前記ソフトウェアの使用団体のうちの特定の団体を抽出するステップとを実行し、また前記登録記憶手段が前記団体及びその登録ＩＤを前記団体の構成員の活動内容、年代、地域又は性別などによりグループ分けして記憶するものである。
【発明の効果】
【００１３】
上記した本発明によれば次のような効果が得られる。
即ち、青少年育成や生涯学習に関するスポーツ・文化クラブや同じ趣向を持つＮＰＯ団体などの団体や同様な年代で構成される団体などに対してサーバからスケジュール管理や連絡板などの機能を有したソフトウェアをインターネット上に無償で開放するため、該前記スポーツ・文化クラブやＮＰＯ団体などはその魅力に惹かれてソフトウェアを積極的に使用するようになること、そして、サーバが該ソフトウェアの使用者である前記スポーツ・文化クラブやＮＰＯ団体などによりソフトウェアの使用前に前記サーバに前記スポーツ・文化クラブやＮＰＯ団体の名称や構成員などの個人情報を登録されると共に該個人情報を登録記憶手段により記憶することから、ソフトウェアの使用者として登録される前記スポーツ・文化クラブやＮＰＯ団体などの数が増大し易くなるのであり、また前記サーバは前記スポーツ・文化クラブやＮＰＯ団体などの管理者によりこれらの構成員の変更は可能であり、アンケート回答は構成員のそれぞれの端末からそれぞれのアンケート回答を送信される。アンケートの回答率が一定数以下になった場合はソフトウェアの使用権を失うことや費用を伴う形に設定するため、管理者はセンターからの回答率の通知を持って構成員に啓蒙することになる。
管理者自身の負担はその啓蒙活動であるため負担は少なくて済むが、アンケートに対して回答する者の数は効果的に増大するのである。
【００１４】
この際、アンケートに対して回答する者が、基本的には青少年育成や生涯学習に関するスポーツ・文化クラブや同じ趣向を持つＮＰＯ団体などの団体や同様な年代で構成される団体などの構成員であるため、アンケート回答が営利に影響を受け難いものとなり、品質のよい実効性のあるアンケート結果が得られるようになる。
【００１５】
一方、青少年育成や生涯学習に関するスポーツ・文化クラブや同じ趣向を持つＮＰＯ団体などの団体や同様な年代で構成される団体などはスケジュール管理や連絡板などのソフトウェアを無償で使用できるため、例えばスポーツ、囲碁、将棋、生け花、陶芸などの団体の交流や、ボランティア団体の活動などを、余分な費用を要することなく効率的に計画することができるようになり、青少年育成や生涯学習に関するスポーツ・文化クラブや同じ趣向を持つＮＰＯ団体などの団体や同様な年代で構成される団体などの活動を促進させ支援することができるのである。
【００１６】
また請求項３に記載の発明によれば、ソフトウェアを使用するものとして登録記憶手段に記憶された者の中からアンケート対象者をその活動内容、年代、地域、又は性別などにより限定して抽出する際の処理を簡易迅速に行えるようになる。
またその活動母体が年代で区切られたもの、例えば小学校のスポーツ少年団などであればその中に存在する構成員は必ず小学校の生徒である。
例示のように通常名簿を毎年更新していかなければならない年代に対しても管理者が自ずから変更を実施するため、名簿に対して例外が発生しない。
そのため若年層へのアンケートに対しては特に有効であると考える。
【００１７】
また請求項４に記載の発明によれば、登録記憶手段の登録した前記団体の構成員の年代などが常に真正に保たれるため、有用性の高いアンケート結果が得られる。
【００１８】
また請求項５に記載の発明によれば、アンケートに対する回答率の大きい団体を容易に特定することができ、このように特定されたスポーツ・文化クラブやＮＰＯ団体などに全てに対して満遍なく配る賞品ではなく、費用を集約して賞金や賞品などを付与することで、アンケートに熱心に回答したことに対する代償をよりその団体に応じた賞品で付与することができ、アンケートに対する回答意欲を増進させることができる。逆にアンケートに対する回答率の小さい使用団体をも容易に特定することができ、このように特定された団体のソフトウェアの使用権を失うことや費用を伴う形に設定するなどのペナルティを付与することができ、アンケートに対する回答意欲の減退を抑制することができる。
また請求項６に記載の発明によれば、上記した全ての効果が得られるものである。
【発明を実施するための最良の形態】
【００１９】
以下、本発明の実施の形態を図１及び図２を参照して説明する。
図１は本発明に係るアンケートシステムを示す概念図、図２はアンケートシステムの使用例を示す説明図である。
本発明に係るインターネットを使用したアンケートシステムは、図１に示すように、青少年育成や生涯学習に関するスポーツ・文化クラブ１００や同じ趣向を持つＮＰＯ団体１０１などの管理者の端末１０２及びその団体の構成者の端末１０３と、アンケートセンタ２００のサーバ２０１とをインターネット３００で接続したものである。
【００２０】
そして、前記サーバ２０１には次のような手段が設けられている。
即ち、青少年育成や生涯学習に関するスポーツ・文化クラブ１００や同じ趣向を持つＮＰＯ団体１０１などに対してスケジュール管理、連絡板又は連絡メールなどの機能を有したソフトウェア２０２ａをインターネット３００上に無償で開放し実行するための手段２０２が設けられている。
【００２１】
また該ソフトウェア２０２ａを無償で使用しようとする者が、その使用前に、前記サーバ２０１に前記端末１０２からインターネット３００を介して、前記スポーツ・文化クラブ１００や前記ＮＰＯ団体１０１などの名称や構成員などの個人情報、及び、ソフトウェア２０２ａを使用する代わりにアンケートセンタ２００のアンケートに回答をすることを約することによりその対応する前記スポーツ・文化クラブ１００又は前記ＮＰＯ団体１０１のそれぞれに登録ＩＤを付与すると共に、該登録ＩＤや前記団体を前記サーバのＩＤ情報記憶部２０３に入力するＩＤ情報入力手段２０４が設けられている。
【００２２】
またアンケートセンタ２００が外部の企業などから依頼されたアンケート内容（質問事項）を前記サーバ２０１の記憶部２０５に入力する入力手段２０６が設けられている。
【００２３】
また前記入力手段２０４によって記憶部２０３に記憶された前記登録ＩＤや前記個人情報に基づいてアンケート対象者を抽出するアンケート対象者抽出手段２０７が設けられている。
【００２４】
また前記サーバ２０１から前記アンケート内容を該アンケート対象者の端末１０２及び１０３に送信する送信手段２０８ａや、前記端末から送信される情報を受信する受信手段２０８ｂが設けられている。
【００２５】
また前記サーバ２０１が前記端末１０２及び１０３に送信したアンケート内容に対する回答であるアンケート回答を前記受信手段２０８ｂが受信したか否かを確認することにより、前記登録ＩＤを付与された前記スポーツ・文化クラブ１００や前記ＮＰＯ団体１０１など（使用者）の各々についてのアンケート回答率を、前記送信手段２０８ａがアンケート内容を送信する都度、集計して該算出値を算出、記憶する回答率算出記憶手段２０９が設けられている。
【００２６】
さらに該回答率記憶手段２０９に記憶された前記算出値の大きさに基づいて前記使用者のうちの特定の者を抽出する対象使用者抽出手段２１０が設けられている。
【００２７】
一方、前記端末１０２及び１０３には、前記サーバ２０１に前記アンケート対象者となった前記使用者に係る前記構成員それぞれのアンケート回答を前記サーバ２０１に送信する送信手段２１１ａや、前記サーバ２０１から送信される情報を受信する受信手段２１ｌｂが設けられている。
前記端末１０２には前記アンケートセンタから付与された登録ＩＤを用いて、自らの団体の構成員を登録し記憶する、もしくは抹消する登録記憶手段２１２が設けられている。
【００２８】
次に上記したアンケートシステムの作動について説明する。
前記サーバ２０１が、青少年育成や生涯学習に関するスポーツ・文化クラブ１００や同じ趣向を持つＮＰＯ団体１０１などに対してスケジュール管理、連絡板又は連絡メールなどの機能を有したソフトウェア２０２ａをインターネット３００上に開放する。
そして、ソフトウェア２０２ａを使用したい前記スポーツ・文化クラブ１００や前記ＮＰＯ団体１０１などの管理者には該ソフトウェア２０２ａを使用するに先立って前記スポーツ・文化クラブ１００や前記ＮＰＯ団体１０１についての名称や活動内容や構成員などの個体情報を前記管理者の端末１０２から前記サーバ２０１に送信または郵便などの輸送手段を用いて情報を伝えること、及び、ソフトウェア２０２ａを無償で使用することの代わりにアンケートセンタ２００のアンケートに回答することを義務づけておくのである。
【００２９】
ソフトウェア２０２ａの使用者となることを希望する前記管理者はソフトウェア２０２ａの使用前に、前記サーバ２０１に前記管理者の端末１０２からインターネット３００を介して前記スポーツ・文化クラブ１００や前記ＮＰＯ団体１０１についての名称や活動内容や構成員などの個体情報を送信または郵便などの輸送手段を用いてアンケートセンタ２００に情報を伝えると共にソフトウェア２０２ａを無償で使用する代わりにアンケートセンタ２００のアンケートに回答することを約する内容の承諾情報を送る。これら個体情報や承諾情報を受信した前記サーバ２０１は前記スポーツ・文化クラブ１００や前記ＮＰＯ団体１０１のそれぞれにその対応する登録ＩＤを付与する。そしてＩＤ情報入力手段２０４は該登録ＩＤ及びこれに対応した個体情報を関連させて登録しＩＤ情報記憶部２０３に記憶する。
【００３０】
この際、前記スポーツ・文化クラブ１００や前記ＮＰＯ団体１０１についての個体情報は団体の最低限の連絡先のみを含むものとなすのがよいのであり、構成員の個体情報については個人を特定しない情報のみ登録することで、構成員個人を特定できる情報を保有しないため構成員の個体情報は保護される。なお、構成員本人の承諾が得られるならば、各構成員の住所、氏名などの個体情報を前記使用者が前記団体の構成情報として登録することは差し支えない。
【００３１】
そして記憶部２０３は、個体情報を、例えば図２に示すような分類形態で記憶するのがよいのであり、即ち、スポーツ・文化クラブ１００などの活動の内容に応じて、例えばサッカー、野球、ソフトボール、卓球、バスケット、軟式テニスなどのように分類し、さらにこれを年代、地域などにより細分化し、例えばサッカーであれば「小学生」「高校生」「社会人」、「Ａ市ＦＣＩ」「Ｂ市サツカーチーム」などの集合として記憶する。
【００３２】
いま、サッカーのスポーツ・文化クラブ１００を例として、その登録を説明すると次のとおりである。
即ち、小学生のサッカークラブは社会的事実として既に存在しているが、このクラブが地区の試合に参加したい場合には、その地区の上部団体へ加盟することになる。したがってサッカークラブの上位団体として地区または市の団体が登録される。また、同様に県大会や地方行事の参加のためには県、地方、全国といった運営団体が加盟することになる。このように登録することにより同じ趣向を持つた団体に対して複雑な抽出の手間なく希望するアンケートを実施でき、かつ重複することがない。また、このように登録されたスポーツ・文化クラブ１００などにおける構成員は年月がいくら経過しても管理者によって毎年更新されることになるため小学生であることに変わりないのであり、使用者記憶手段に記憶された使用者についての個体情報は安定的となりいつまでも真正なものとして使用されるものとなる。よってアンケート対象者として使用者の中から小学生を抽出したいときには、このように登録された小学生のサッカーチームを抽出すればよくなりアンケート当初よりその有効数が明確に把握できる。
【００３３】
なお図２に示す分類形態ではスポーツ・文化クラブ１００の活動の内容をスポーツに限定して分類した例を示しているが、これに限らず囲碁、将棋、書道、生け花及び工芸などその他のものを含めることも差し支えない。
【００３４】
またソフトウェア２０２ａの使用が無償であることが、前記スポーツ・文化クラブ１００や前記ＮＰＯ団体１０１の個体情報の登録を促すものとなり、ＩＤ情報入力手段２０４が登録しＩＤ情報記憶部２０３に記憶するソフトウェア２０２ａの使用者の数は容易に増大するのである。
【００３５】
一方、アンケートセンタ２００はアンケートを代行する業務を行うものであり、図２に示すように外部の企業ａｌなどからアンケートの依頼ａ２を受ける。この際、アンケートの内容は一般にはアンケートの依頼者である企業ａｌなどから提供される。
アンケートセンタ２００の管理者はアンケート内容（質問事項）を入力手段２０６を使用してアンケート内容記憶部２０５に入力する。
【００３６】
そしてアンケート対象者を前記依頼者の要望などにより、年代、趣味又は性別で制限する場合には、アンケート対象者抽出手段２０７に検索条件を入力してＩＤ情報記憶部２０３の記憶した前記個体情報を検索させる。これによりアンケート対象者抽出手段２０７はＩＤ情報記憶部２０３がすでに登録している前記スポーツ・文化クラブ１００や前記ＮＰＯ団体１０１の中から前記検索条件に適合したものを抽出する。
【００３７】
例えば、サッカーボールについてのアンケートｂｌを実施する場合において、そのアンケート対象者を小学生のみに限定するときは、検索条件を「サッカーかつ小学生とすることにより、アンケート対象者抽出手段２０７は図２中の符号ｂ２で示す「小学生」の黒枠内の「Ａ市ＦＣ」や「Ｂ市サッカーチーム」などを抽出する。なお、「Ａ市ＦＣ」や「Ｂ市サッカーチーム」などの各団体は前記個体情報のうちの構成員で組織されるものである。
【００３８】
次にアンケートセンタ２００の管理者は前記サーバ２０１から前記アンケート対象者として抽出された前記スポーツ・文化クラブ１００や前記ＮＰＯ団体１０１などのそれぞれに対応する端末１０２及び１０３に前記アンケート内容を送信する。こうしてアンケート内容を送信された各端末１０２及び１０３に係る前記スポーツ・文化クラブ１００や前記ＮＰＯ団体１０１の管理者及びその団体の構成者は、このアンケート内容を取得し、そのアンケートｂｌの質問事項に回答するのであり、こうして得られたアンケート回答をその端末１０２及び１０３から前記サーバ２０１ヘアンケート回答ｂ３を送信するのである。
【００３９】
前記サーバ２０１は各端末１０２及び１０３から送信された前記アンケート回答ｂ３を受信した後、その内容を集計してアンケート結果ｃｌを演算させる。こうして得られたアンケート結果ｃｌは適宜な手段でアンケートセンタ２００からアンケートの依頼者ａｌに提供される。このようなアンケートの代行により、アンケートセンタ２００はアンケートの依頼者ａｌからアンケート実施料を受ける。
【００４０】
一方、回答率算出記憶手段２０９は前記サーバ２０１が前記端末１０２及び１０３に送信したアンケート内容に対するアンケート回答ｂ３を前記サーバ２０１の受信手段２０８ｂが受信したか否かを確認することにより、各端末１０２及び１０３に係る前記スポーツ・文化クラブ１００や前記ＮＰＯ団体１０１の各々についてのアンケート回答率を、前記サーバ２０１が新しいアンケート内容を送信する都度、算出して該算出値を記憶する。
【００４１】
そして対象使用者抽出手段２１０が該回答率記憶手段２０９に記憶された前記算出値の大きさに基づいて前記使用者のうちの特定の者を抽出する。
具体的には、前記回答率が特定の大きさ以上である使用者に係るスポーツ・文化クラブ１００やＮＰＯ団体１０１などを特定する。そして、ここで特定されたスポーツ・文化クラブ１００やＮＰＯ団体１０１すべてもしくはその一部に対してこれらの団体が必要と思われるものをプレゼントするのであるプレレゼントのための費用はアンケートセンタ２００が支出もしくはアンケートの依頼者ａｌから提供を受ける。
【００４２】
また前記回答率が特定の大きさ以下である使用者に係るスポーツ・文化クラブ１００やＮＰＯ団体１０１を特定する。そして、ここで特定されたスポーツ・文化クラブ１００やＮＰＯ団体１０１に係る使用者のソフトウェア２０２ａの使用を一部制限したり或いは該使用者の一定期間以降のソフトウェア２０２ａの使用を制限するのである。
【００４３】
このようなアンケートのための処理の一方では、スポーツ・文化クラブ１００やＮＰＯ団体１０１などの管理者及びその団体の構成者はソフトウェア２０２ａのスケジュール管理や連絡板や連絡メールの機能を原則として無償で使用することができる。
【００４４】
スケジュール管理機能はサ一バ２０１によりスケジュール表をスポーツ・文化クラブ１００やＮＰＯ団体１０１などの管理者の端末１０２及びその団体の構成者の端末１０３を自由に見ることができるようにインターネット３００上に開放しておき、スポーツ・文化クラブ１００やＮＰＯ団体１０１などのそれぞれの管理者がその担当するスポーツ・文化クラブ１００やＮＰＯ団体１０１などの活動予定などを管理者の端末１０２からサーバ２０１に送信しスケジュール表に表示するものとなされている。これにより、スポーツ・文化クラブ１００やＮＰＯ団体１０１の間のスケジュールを効率的に調整することができるのである。
【００４５】
連絡板機能は連絡板をスポーツ・文化クラブ１００やＮＰＯ団体１０１などの管理者が自由に見ることができるようにサーバ２０１によりインターネット３００上に開放し、スポーツ・文化クラブ１００やＮＰＯ団体１０１などのそれぞれの団体の管理者が自身の掲示情報とか、その担当するスポーツ・文化クラブ１００やＮＰＯ団体１０１の構成員についての掲示情報などをその対応する管理者の端末１０２からサーバ２０１に送信しサーバ２０１がそれぞれの団体の連絡板に表示するものとなされている。
【００４６】
連絡メール機能はスポーツ・文化クラブ１００やＮＰＯ団体１０１などの管理者が他の特定のスポーツ・文化クラブ１００やＮＰＯ団体１０１などの管理者にインターネット３００を介してその担当するスポーツ・文化クラブ１００やＮＰＯ団体１０１の活動情報などを連絡するように使用するものである。
【００４７】
このようなソフトウェア２０２ａの各機能は費用を要しないでスポーツ・文化クラブ１００やＮＰＯ団体１０１などの活動を促進し支援するものである。
【００４８】
ソフトウェア２０２ａの使用により、具体的には例えば次のような利益が得られる。
即ち、サッカークラブや野球チームなどの団体１００で現在問題になっていることに、指導者の不足という事実がある。それは指導者が空いた時間を利用して指導するのではなく、仕事があっても決まった時間に無理やりに時間をあけて、指導に向かっているという現状に起因している。またそれは指導者としての知識があるないにかかわらず、事前にスケジュールで決定され、必ずその日その時間にその場所に居なければならないといった状況を作り出している。本発明におけるソフトウェア２０２ａは無償の情報伝達によりスケジュールの効率的な調整を可能となし、このような問題や状況を効果的に解消させるものとなる。
【００４９】
またソフトウェア２０２ａ上で各企業の広告を表示させることもできるのであり、この場合の広告料はアンケートセンタ２００の収入となる。
上記したソフトウェア２０２ａの運営のための費用はアンケートセンタ２００が支出するが、該費用はアンケート実施料やソフトウェア２０２ａへの広告料で賄われる。
【００５０】
またソフトウェア２０２ａの全ての使用者が複数のグループに分かれていて各グループはそれぞれのグループの範囲内のスポーツ・文化クラブ１００やＮＰＯ団体１０１などの間でのみ使用できる構成となすことができる。この際、各グループはその活動内容ごと、例えばサッカー、野球、ソフトボール、卓球、バスケット、軟式テニス、将棋、囲碁、生け花、陶芸などのそれぞれを単位とするものとなされる。
【００５１】
このようにしておけば、アンケート対象者を、例えば「野球」に関連する構成員に限定するとき、すでに野球に関連する構成員が−つのグループとして纏まっているため、アンケート対象者抽出手段２０７による抽出処理は不要となる。
【００５２】
この際、アンケート対象者を「野球及び小学生」の構成員に限定するときはアンケート対象者抽出手段２０７により野球のグループの中から小学生を抽出する必要がある。この場合、野球のグループの構成員は一つのグループとして纏まっているためソフトウェア２０２ａの使用者がグループ分けされてない場合に較べて抽出のための情報処理量は大幅に軽減され処理時間が短縮される。
【００５３】
また活動内容が同一の各グループの構成員のおよその数はアンケート前にすでに明確になっているため、アンケートの回答数を予測することができるのであり、したがってアンケートが終了した後にアンケートの回答数が少ないことが判明して、既に終了したアンケートが無駄になるなどの問題は回避されるようになる。
【図面の簡単な説明】
【００５４】
【図１】本発明に係るアンケートシステムを示す概念図である。
【図２】前記アンケートシステムの使用例を示す説明図である。
【符号の説明】
【００５５】
１００    スポーツ・文化クラブ
１０１    ＮＰＯ団体
１０２    管理者の端末
１０３    団体の構成者の端末
２００    アンケートセンタ
２０１    サーバ
２０２ａ    ソフトウェア
２０３    ＩＤ情報記憶部
２０４    ＩＤ情報入力手段
２０５    アンケート記憶部
２０６    アンケート入力手段
２０７    アンケート対象者抽出手段
２０８ａ    アンケート送信手段（サーバ側）
２０８ｂ    アンケート受信手段（サーバ側）
２０９    回答率算出記憶手段
２１０    回答率特定者抽出手段
２１１ａ    アンケート送信手段（端末側）
２１１ｂ    アンケート受信手段（端末側）
２１２    構成員登録抹消手段
３００    インターネット
ａｌ    アンケート依頼企業
ａ２    アンケート依頼内容
ｂｌ    アンケート
ｂ２    アンケート対象者
ｂ３    アンケート回答
ｃｌ    アンケート結果
【図１】
2007172492.tif 000003
【図２】
2007172492.tif 000004